(57)【要約】【課題】メータ装着口の外部から視認できる位置でメータユニットの突起をガイド部に受入れて、最終の取り付け位置まで姿勢規制を含め案内し、容易かつ迅速に挿入し確実に取り付けられるようにする。【解決手段】メータユニット１の両側壁の上下に側方に突出した突起２、３を、インストルメントパネル１のメータ装着口５の両側壁に受け入れたメータユニット１の対応する側の上下の突起２、３を、またメータ装着口５を通じ外部から視認できる位置で前方から受け入れ後方へ案内する上下２段のガイド部６、７をそれぞれ設け、上下２段のガイド部６、７は、互いの隣接距離Ｘ１と上下一対の突起間の距離Ｘ２とにより、メータユニット１の受入れ位置Ａから取り付け位置Ｂまでの挿入径路Ｃと姿勢との規制を伴い案内する案内径路６１、７１を有することにより、上記の課題を解決する。【選択図】図１
2011189893.tif 000002
【特許請求の範囲】
【請求項１】
メータユニットの両側壁の上下位置に、側方に突出した突起を設け、インストルメントパネルのメータ装着口の両側壁に、受け入れたメータユニットの対応する側の上下一対の突起を、メータ装着口を通じ外部から視認できる位置で前方から受け入れ後方へ案内する上下２段のガイド部を設け、上下２段のガイド部は、これらの隣接距離と上下一対の突起間の距離とで決まる受入れ限界によるメータユニットの受入れ位置から取り付け位置までの挿入径路と姿勢との規制を伴い案内する案内径路を有することを特徴とするメータユニット取り付け構造。
【請求項２】
上下２段のガイド部は、幅方向でオーバーラップしないものとした請求項１に記載のメータユニット取り付け構造。
【発明の詳細な説明】
【技術分野】
【０００１】
本発明は、自動車のインストルメントパネルのメータ装着口にメータユニットを取り付ける、インストルメントパネルのメータユニット取り付け構造に関する。
【背景技術】
【０００２】
自動車のインストルメントパネルに配置されているメータは、直射日光が当たると見づらくなるので、それを防止するメータクラスタが広く採用されている。しかし、日光の照射を防止するためにパネルの周囲に配置されるメータクラスタは、メータユニットの設置作業には邪魔な存在となりえる。このような課題に対して、メータユニットの上辺前部に位置するメータクラスタが、メータユニットの取り付け作業の邪魔にならないようにする構造として、従来、図４に示す例、図５に示す例、下記の特許文献１に開示された例などがある。
【０００３】
図４に示す例では、インストルメントパネルａはメータ装着口ｂの天井部から前部に張り出すメータクラスタｃを有し、下方には開放状態に形成されている。これにより、メータユニットｍはメータクラスタｃからメータ装着口ｂに続く大きな空間を通じて、メータクラスタｃの邪魔なくメータ装着口ｂの奥部へ挿入できる。この挿入の最終段階でメータユニットｍは後面の係合爪ｊとメータ装着口ｂ奥壁の係合窓ｅとが弾性係合して装着状態になる。
【０００４】
この後、メータ装着口ｂまわりの段部ｆにメータフード部ｄを前部から当てがい、後面の係合爪ｋと段部ｆの係合窓ｇとの弾性係合を伴い装着する。これにより、メータユニットｍの外まわりをメータフード部ｄにより前面から覆って内装する。
【０００５】
また、この装着によって、前方に張り出させるように設けたメータフード部ｄの上縁部が、メータクラスタｃの開放された下方を閉じ、メータクラスタ下面壁ｈとなる。このようにして、メータユニットｍの取り付け作業が終了する。
【０００６】
図５に示す例は、メータクラスタｃをメータフード部ｄの外側まで設けて、インストルメントパネルａには設けていない。従って、インストルメントパネルａのメータ装着口ｂに、メータユニットｍを奥部まで挿入する際に、メータクラスタｃの邪魔なしに作業ができる。挿入後、メータ装着口ｂまわりの段部ｆにメータフード部ｄを前部から当てがい、後面の係合爪ｋと段部ｆの係合窓ｇとの弾性係合を伴い装着する。これにより、メータユニットｍの外まわりをメータフード部ｄによって前面から覆って内装するのと同時に、メータクラスタｃがメータフード部ｄの外側まで延びてメータユニットｍの前部に位置させられる。
【０００７】
特許文献１に開示の例は、メータユニットは、上面に上方に向く係合爪を突設し、下面に取り付け座を下方に向け延設したものとしている。これに対応して、インストルメントパネルには、上壁下面に下方に向く係合爪を突設し、下壁上面にメータユニットをその挿入に伴い上方に押し上げて前記爪同士を係合させるガイド部と、前記取り付け座のねじ止め部とを設けている。これらにより、メータユニットは、後傾姿勢でメータクラスタ内に干渉を避けながら挿入していくことで前記係合爪同士を対向させられる。
【０００８】
この状態でメータユニットの下部側を装着位置に向け押し込むと、メータユニットは装着姿勢に向け起立しながら、前記ガイド部の案内による押し上げで、前記係合爪同士を係合させられる。この係合の終了と同時に、取り付け座がねじ止め部に当接する。そこで、ねじ止め部に取り付け座をねじ止めするとメータユニットの取り付けが終了する。
【先行技術文献】
【特許文献】
【０００９】
【特許文献１】特開２００８−２２１９２８号公報
【発明の概要】
【発明が解決しようとする課題】
【００１０】
しかし、図４に示す従来例では、組み付けたメータユニットｍを覆うメータフードｄにメータクラスタｃの下面壁ｈを形成するので、メータクラスタｃがメータユニットｍよりも横に大きく、コストの高いものとなる。また、インストルメントパネルａに下面壁ｈを含むメータフードｄに見合う大きな開口が必要になるので、インストルメントパネルａの剛性が低く、建付け、見栄えなどが悪くなる。
【００１１】
図５に示す例では、メータクラスタｃの全体をメータフードｄに設けて、インストルメントパネルａから独立した別部品としているので、インストルメントパネルａと、メータクラスタｃおよびメータフードｄ一体部品との剛性が高く、メータユニットｍの組み付け性がよい。反面、メータクラスタｃはメータフードｄの外側まで延びて一体部品となしているので、図４に示す例よりも大型化、重量化し、コストも高い。
【００１２】
また、メータクラスタｃおよびメータフードｄ一体部品の大型化、重量化のため、インストルメントパネルａとの取り付け部の剛性が低い。また、インストルメントパネルａの上面に、メータクラスタｃおよびメータフードｄ一体部品との間の割線が、インストルメントパネルａの上面と、この上面から外方に突出し露出するメータクラスタｃおよびメータフードｄ一体部品との相関線位置に現れる。この割線は、いわゆる窓写りし、運転者の視野の妨げとなる。さらに、このようなインストルメントパネルａ上面の割線は、インストルメントパネルａの耐熱性能上を低下させることにもなる。
【００１３】
また、特許文献１が開示する例では、メータユニットをメータクラスタに後傾姿勢に挿入して、その上部の自由端部となっている同じく後傾姿勢の係合爪を、メータクラスタ上壁下面の下向きになっている係合爪に、やや下方から斜め向きで位置合わせして、係合させる初期作業が必須になる。しかし、このような位置合わせや係合させ始める初期作業は、簡単な組付け作業とはいえない。
【００１４】
また、その係合位置はメータクラスタの上壁とメータユニットの上部との間で係合状態を外部から確認するのも容易でない。係合状態を外部から視認しにくいという点は、作業時間が長くなるとともに、品質低下にもつながる。例えば、初期係合以降、本係合までに必要なメータユニットの動きはガイド部の案内に委ねられるが、初期係合の段階での係合ミスは適正な本係合を阻みメータユニットの傷つきにつながる。特に、前記係合部がメータクラスタ内に入り込んで隠れている場合は、初期作業は完全なブラインド作業になるので上記のような問題が生じやすくなる。
【００１５】
本発明は、上記のような点に鑑み、メータ装着口の外部から視認できる位置でメータユニットの突起をガイド部に受入れて、最終の取り付け位置まで姿勢規制を含め案内し、容易かつ迅速に挿入し確実に取り付けられるメータユニットを提供することを目的とする。
【課題を解決するための手段】
【００１６】
本発明のメータユニットの取り付け構造は、メータユニットの両側壁の上下位置に、側方に突出した突起を設け、インストルメントパネルのメータ装着口の両側壁に、受け入れたメータユニットの対応する側の上下一対の突起を、メータ装着口を通じ外部から視認できる位置で前方から受け入れ後方へ案内する上下２段のガイド部を設け、上下２段のガイド部は、これらの隣接距離と上下一対の突起間の距離とにより、メータユニットの受入れ位置から取り付け位置までの挿入径路と姿勢との規制を伴い案内する案内径路を有することを特徴とする。
【００１７】
このような構成では、インストルメントパネルのメータ装着口にメータユニットを挿入する際、それらの両側壁間で、上下一対の突起と、これらに対応する上下２段のガイド部の少なくとも受け入れ部とは、外部に開放されたままで、作業者に視認させられる。この視認のもとに上下一対の突起を、対応する上下２段のガイド部に挿入させることができる。
【００１８】
この挿入時、メータユニットは、上下２段のガイド部の、上下の突起に対する受入れ限界を満足する姿勢に規制される。この初期挿入後は、メータユニットを後方へさらに挿入していくだけで、上下２段のガイド部により、受け入れた上下の突起を介しメータユニット受入れ位置から取り付け位置への挿入径路と姿勢とを、ガイド部間の隣接距離と突起間の距離によって決まる一義的な案内条件にて案内できる。これによって、メータユニットを所定の取り付け位置に確実に位置させられる。
【００１９】
また、本発明のメータユニットの取り付け構造は、さらに、上下２段のガイド部が、幅方向でオーバーラップしないものである。
【００２０】
このような構成では、上記に加え、さらに、上下２段のガイド部の、幅方向で外側に位置するガイド部に受け入れられる突起は、幅方向内側に位置するガイド部に受け入れられる突起よりも、長くなる関係上、内側に位置するガイド部には干渉して入らない。また、内側のガイド部に受け入れられる短い突起は、外側のガイド部に届かない。従って、メータユニットの取付時の初期作業で、係合ミスが生じることなく、迅速な取り付け作業を可能にする。
【発明の効果】
【００２１】
本発明のメータユニット取り付け構造によれば、インストルメントパネルのメータ装着口とそれに挿入するメータユニットとの両側壁間を通じ、外部から視認しながら上下一対の突起を対応する上下２段のガイド部の少なくとも受け入れ部に、容易に位置合わせし、かつ、確実に挿入することができる。それ以降は、メータユニットを後方へさらに挿入するだけで、上下２段のガイド部による上下の突起を介した一義的な案内条件のもとに所定の取り付け位置まで確実に案内し、位置させられる。
【００２２】
従って、メータユニットを手間なく確実に取り付けられ、挿入の失敗によるメータユニットの傷つきも回避できる。また、このような簡易な挿入、取り付け作業環境でありながら、上下２段のガイド部による一義的な案内条件により、受入れ位置から所定の取り付け位置までの、メータユニットの挿入径路と姿勢とを、メータ装着口の形状や構造、メータクラスタの存在など周辺環境に見合って理想的に規制できる。結果、上部がメータクラスタの背後に位置するような取り付け環境に対しても、作業者の熟練の有無や個人差の影響無しにメータクラスタとの干渉を避けた取り付けが達成される。
【図面の簡単な説明】
【００２３】
【図１】本発明の実施の形態に係るインストルメントパネルのメータ装着口へのメータユニット取り付け構造の１つの具体例を、メータユニットの挿入過程を段階的に重ねて示す断面図である。
【図２】同メータユニット取り付け構造の正面図である。
【図３】図１、図２のインストルメントパネルのメータ装着口およびそのまわりと、メータユニットと、メータフードと、を示す概略斜視図である。
【図４】従来のインストルメントパネルのメータ装着口およびそのまわりと、メータユニットと、メータフードと、の１つの組み合わせ例を示す概略斜視図である。
【図５】従来のインストルメントパネルのメータ装着口およびそのまわりと、メータユニットと、メータフードと、の別の組み合わせ例を示す概略斜視図である。
【発明を実施するための形態】
【００２４】
本発明の実施の形態に係る１つの具体例につき、図１〜３を参照して説明し、本発明の理解に供する。従って、以下の説明は本発明の具体例であって、特許請求の範囲の記載事項を限定するものではない。また、左右に一対ある構成要素は１つの番号で呼び、左右の構成要素を区別する場合は、左側構成要素に小文字「ａ」を付し、右側構成要素に小文字「ｂ」を付す。
【００２５】
図１〜図３を参照して、本発明のメータユニット取り付け構造では、メータユニット１の両側壁１ａ、１ｂの上下位置に、図１、図３（ｂ）に示すような側方に突出した突起２、３をそれぞれ設けている。突起２は突起３よりメータパネルユニット１の側面１ａ、１ｂから長く突出している。
【００２６】
一方、図２、図３（ａ）に示すインストルメントパネル４のメータ装着口５の両側壁５ａ、５ｂには、挿入されるメータユニット１の上下一対の突起２、３を、メータ装着口内に受け入れるための受け入れ部６０、７０とそれに続くガイド部６、７が形成されている。メータ装着口５の幅は、メータユニット１の幅より広く形成されている。従って、受入れ部６０、７０は、メータ装着口５に対する正面視で、メータパネルユニット１の幅より外側に形成されている。すなわち、メータユニット１の装着時には突起２、３と受入れ部６０、７０を同時に視認することができる。
【００２７】
受入れ部は、メータ装着口５の両側壁５ａ、５ｂから、メータ装着口５の内側に向けて所定厚みだけ膨出成形され、メータ装着口５の奥部から手前に設けられた傾斜面である。
【００２８】
受入れ部６０ａ、６０ｂと、受入れ部７０ａ、７０ｂは、それぞれメータ装着口５の底部壁５ｃから同一高さに形成され、また、受入れ部６０ａ、６０ｂは、受入れ部７０ａ、７０ｂより高い位置に形成されている。さらに、受入れ部７０ａ、７０ｂは、受入れ部６０ａ、６０ｂよりメータ装着口内側に向かって膨出形成されている。言い換えると、メータ装着口５の両側壁５ａ、５ｂから受入れ部６０ａ、６０ｂがメータ装着口５の内側に向かって所定幅だけ膨出形成され、そのさらに内側で受入れ部６０ａ、６０ｂより下側に受入れ部７０ａ、７０ｂが形成されている。そして、ガイド部６ａ、６ｂおよび７ａ、７ｂが、この受入れ部６０ａ、６０ｂ、７０ａ、７０ｂに続いて形成される。
【００２９】
従って、受入れ部６０ａと６０ｂ間の間隔は、受入れ部７０ａ、７０ｂ間の間隔より広い。またそれぞれに続く左右のガイド６ａ、６ｂ間および左右のガイド７ａ、７ｂ間も同様である。つまり、これら一対の受入れ部およびガイド部は、幅方向でお互いにオーバーラップしない関係にある。
【００３０】
また、受入れ部６０ａ、６０ｂの傾斜面の所定幅は、メータユニット１の突起２、３の長さの差程度が好ましい。後述するように、受入れ部６０ａ、６０ｂと７０ａ、７０ｂの幅の違いで、メータユニット１のメータ装着口への挿入位置が一義的に決まる。従って、受入れ部６０ａ、６０ｂの傾斜面の幅が狭すぎると、誤って突起２ａ、２ｂが受入れ部７０ａ、７０ｂに挿入される場合が生じる。一方、幅が広すぎると、メータ装着口を必要以上に広げなければならず、強度や建付けの観点から好ましくない。
【００３１】
図１を参照して、これら上下２段のガイド部６、７は、メータ装着口入口に形成された受入れ部６０、７０に続いて、メータ装着口奥に向かって形成されている。より具体的には、ガイド部６は、受入れ部６０に続いて、メータ装着口５上方に向かう第１の傾斜面と、さらに上方に向かう第２の傾斜面を有する。
【００３２】
ガイド部７は、受入れ部７に連続して、メータ装着口５奥に向かう案内経路７１を有する。案内経路７１は、メータ装着口５奥で突き当たり、階段状の段差が１段設けられている。そして、段差の上面は、少なくとも突起３の直径以上の奥行きを有する。
【００３３】
また、少なくともメータ装着口５を正面視した際の左右のガイド部６ａ、６ｂの間隔は、受入れ部６０ａ、６０ｂからメータ装着口の奥へ向うに従い狭まる。挿入されたメータユニット１のセンターを確保するためである。
【００３４】
次に、本発明のメータユニット取り付け構造に対して、メータユニットを取り付ける工程を説明する。まず、本発明のメータユニットの取り付け構造は上記の構造を有するので、インストルメントパネル４のメータ装着口５にメータユニット１を挿入する際、それらの両側壁１ａ、５ａ間、１ｂ、５ｂ間が隙間Ｓ分だけ開いている。従って、作業者は、上下一対の突起２、３と、これらに対応する上下２段のガイド部６、７の少なくとも受け入れ部６０、７０を、同時に視認することができる。
【００３５】
この視認のもとに上下一対の突起２、３を、対応する上下２段のガイド部６、７に図１の一点鎖線で例示した初期位置に挿入させることができる。この挿入によって、メータユニット１は、上下の突起２、３が上下２段のガイド部６、７に沿う姿勢に規制される。
【００３６】
この初期挿入後は、メータユニット１を後方へさらに挿入していくだけで、上下２段のガイド部６、７により、受け入れた上下の突起２、３を介しメータユニット受入れ位置Ａから取り付け位置Ｂへの挿入径路にて案内できる。なお、受入れ位置Ａは、ガイド部７の受入れ部７０であり、取り付け位置Ｂは、ガイド部６の突き当たりである。また、経路Ｃは、メータユニット１の上部の軌跡を示す。メータユニット１は、距離Ｘはなれた上下一対の突起によって、隣接距離Ｘ１離れたガイド部６と７の経路６１、７１を通過してゆく。
【００３７】
言い換えると、インストルメントパネル４のメータ装着口５とそれに挿入するメータユニット１との両側の隙間Ｓを通じ、外部から視認しながら上下一対の突起２、３を対応する上下２段の受入れ部６０、７０からそれに続くガイド部６、７に、容易に位置合わせし、かつ、確実に挿入することができる。
【００３８】
つまり、メータユニット１を、メータパネルに、手間なく確実に取り付けられる。また、挿入の失敗によるメータユニット１の傷つきも回避できる。また、このような簡易な挿入、取り付け作業環境でありながら、受入れ位置Ａから所定の取り付け位置Ｂまでの経路とメータユニット１の姿勢は、上下２段のガイド部６、７による一義的な案内条件により、メータ装着口５の形状や構造、メータクラスタ１１の存在など周辺環境に応じて理想的に規制することができる。
【００３９】
従って、図１に例示する実線の取り付け位置のように上部がメータクラスタ１１の背後に位置するような取り付け環境に対しても、熟練の有無や個人差の影響無しにメータユニット１を傷付けることなく、しかも確実に取り付けることができる。
【００４０】
上下２段のガイド部６，７は、図２に例示するように、幅方向でオーバーラップしないようにしている。これに対応して、幅方向の外側に位置するガイド部６に受け入れられる突起２は、幅方向内側に位置するガイド部７に受け入れられる突起３よりも長く設けられている。つまり、幅方向外側のガイド部６に受け入れられる突起２は、内側に位置するガイド部７には干渉して受け入れられない。また、内側のガイド部７に受け入れられる短い突起３は、外側のガイド部６に届かず受け入れられない。
【００４１】
このことは、以下の３つの誤挿入を防止することができる。まず第１には、突起２、３が上下に反転する逆さ姿勢でメータユニット１が誤挿入されることである。また第２には、上側の突起２が下側のガイド部７に向かう位置にメータユニット１が誤挿入されることである。また第３には、下側の突起３が上側のガイド部６に向かう位置にメータユニット１が誤挿入されることである。従って、そのような誤挿入を招いてメータユニット１とメータ装着口５内部、開口周辺のインストルメントパネル４の外面、メータクラスタ１１などと干渉し合い相互が傷つくようなことを回避できる。また、本発明のメータユニット取り付け構造では、上下の突起２、３と上下のガイド部６、７の位置関係を正面側から視認できるので、作業者は誤挿入状況を容易に認識できる。
【００４２】
さらに詳述する。ガイド部６、７は突起２、３を受け入れる溝構造にすることもできる。しかし、ガイド部６，７は、突起２、３を介してメータユニット１の重力と、挿入作業力とを、下方側、後方側から受止める棚形状としてもよい。ガイド部６、７を棚形状とすることで、案内径路６１、７１は、メータユニット１の重力を受け止め、なおかつ反受止め側には、開放形状となるので、樹脂成形が容易になるという利点がある。
【００４３】
また、上側の突起２は、メータユニット１が取り付け位置Ｂとなる時、図１、図２に示すようにメータユニット１の取り付け位置上端よりも低く、またメータ装着口５の上部開口縁、メータクラスタ１１の下に位置するようにしている。これにより、作業者は、上下のガイド部６、７に沿って上下の突起２、３が、受入れ位置Ａから取り付け位置Ｂまで案内されていく様子を、前記両側の隙間Ｓを通じ外部から容易に視認することができる。
【００４４】
また、このような棚形状のガイド部６、７は、前記重力と挿入作業力の突起２、３を介した２点（左右のガイド部の合計で４点）での受止めによって、挿入されてくるメータユニット１に、その位置及び姿勢を規制する作用を安定して発揮する。従って、メータユニット１を押し込み続けるだけで所定の取り付け位置への理想的な挿入、取り付けが保証される。
【００４５】
本実施の形態では、メータユニット１を取り付け位置に挿入したとき、図１、図２に示すように、メータユニット１の背部下の両側に形成した係合爪１２がメータ装着口５の図３（ａ）に例示する後部壁５ｃの窓１４の下部後端縁などで形成した係合部１３に弾性係合して、メータユニット１をその下部で取り付け位置への取り付け状態になるようにしている。
【００４６】
また、メータユニット１の上部は、図１、図２に示すように、取り付け位置Ａにある上側の突起２を、ガイド部６の上端部と、ガイド部６の上端から前方へ延びたストッパ１５とで作るコーナ面に受け入れることによって、前記係合爪１２と係合部との係合位置を基点にしたメータユニット１の前傾を拘束して取り付け位置への取り付け状態としている。
【００４７】
さらに、ガイド部６は、受入れ部から奥に向けて、左右ガイド部の幅が狭まるように形成されているので、突起２の挿入に従って、メータユニット１は、メータ装着口の中央に規制されるように拘束される。
【００４８】
しかし、これに限られることはなく、ねじ止めすることもできるし、後付けする図３（ｃ）に示すようなメータフード５３によって押さえ付けて取り付け状態にすることもできる。
【００４９】
図示例の上下２段のガイド部６、７は図１に示すように、メータ装着口５の底部壁５ｃに対して後方への上り勾配を有して案内径路６１、７１が形成され、上下の突起２、３との間の一義的な案内条件によって、上段のガイド部６は上側の突起２を、図１に示す挿入位置２１から途中位置２２を経て取り付け位置２３へと案内する。一方、下段のガイド部７は下側の突起３を、図１に示す挿入位置３１から途中位置３２、３３を経て取り付け位置３４へと案内するようにしている。
【００５０】
この案内による上下の突起２、３の挿入位置から途中位置２２、３２への持ち上げを伴う移動によって、メータユニット１を、一点鎖線で示す後傾した挿入姿勢から、上端がメータクラスタ１１の背部に臨むまで起立させて挿入深さを増した二点鎖線で示す起き上がり姿勢に変化させる。
【００５１】
これに続く上側の突起２の途中位置２２から取り付け位置２３への持ち上げ移動と、下側の突起３の途中位置３２から次の途中位置３３への持ち上げ移動とによって、メータユニット１を二点鎖線で示す起き上がり姿勢から、取り付け位置側へ若干起き上がって、上端がメータクラスタ１１内に進入し、破線で示す取り付け直前姿勢に変化させる。この時、メータユニット１の上端は、メータクラスタ１１の底部壁１１ａよりも上に突出して、挿入深さえを若干増した位置になる。
【００５２】
取り付け位置でガイド部６とストッパ部１５とで拘束されている突起２が不動な状態で突起３の途中位置３２から取り付け位置３４への移動により、メータユニット１を破線で示す取り付け直前姿勢から、突起２を中心にした取り付け位置に立ち上がった実線の姿勢とし、既述の取り付け状態とする。この時は、突起２を中心にした突起３の旋回移動が位置３３から位置３４へ生じる。つまり、ガイド部６、７は、メータユニット１にメータクラスタ１１を避けて上部がメータクラスタによって覆い隠される取り付け位置に挿入するための理想的な挿入径路Ｃを与えている。
【００５３】
なお、メータユニット１は、図３（ｂ）に概略形状を示すように、メータ装着口５との間に両側に隙間Ｓを残す幅方向寸法を持ったほぼ矩形の基部５１と、この基部５１前面のほぼ中央部で突出したメータ部５２とを有している。このメータユニット１は、図１に破線で示す取り付け直前姿勢から実線で示す取り付け姿勢への変化で、基部５１の上端がメータクラスタ１１内に進入することで、メータ部５２の上端がメータ装着口５の上部開口縁５ｅに当接される。
【００５４】
そこで、メータフード５３はメータ部５２とメータ装着口５との間にできる、正面視して図２に示す横長な馬蹄形の隙間Ｓを埋める図３（ｃ）のような形状として隙間Ｓ部を埋めるように、図２、図３に示す段部５４に当てがって取り付ける。この取り付けは、メータフード５３の下部後端の両側から後方へ突出した係合爪５５を段部５４に形成した窓が形成する係合部５６に弾性係合させて行う。
【００５５】
なお、下側の突起３と、これを受け入れるガイド部７とは、メータユニット１の下端と、メータ装着口５の底部壁５ｃとで、代替することができる。これにより、突起３とガイド部７とを省略することができる。
【産業上の利用可能性】
【００５６】
本発明は、インストルメントパネルのメータ装着口に、メータユニットを、まわりとの干渉を避けられる理想的な挿入径路で、簡単かつ確実に挿入し、取り付けるのに実用できる。
【符号の説明】
【００５７】
１  メータユニット
２、３  突起
４  インストルメントパネル
５  メータ装着口
６、７  ガイド部
６０、７０  受入れ部
１１  メータクラスタ
１２  係合爪
１３  係合部
６１、７１  案内径路
Ａ  挿入位置
Ｂ  取り付け位置
Ｃ  挿入径路
【図１】
2011189893.tif 000003
【図２】
2011189893.tif 000004
【図３】
2011189893.tif 000005
【図４】
2011189893.tif 000006
【図５】
2011189893.tif 000007